(57)【特許請求の範囲】
【請求項１】
建物の建築中、玄関に設置された玄関ドア枠の敷居部を養生する玄関ドア枠敷居部養生構造であって、
前記玄関ドア枠の前記敷居部を挟んだ建物の内側及び外側に、前記敷居部から離れる方向に向って上面が下り勾配となった内側保護パネル部材及び外側保護パネル部材が、前記敷居部に沿って各々取り付けられており、前記内側保護パネル部材及び前記外側保護パネル部材の前記敷居部側の縁部上面に跨るように接合されて、保護シート部材が、前記敷居部を覆うようにして前記敷居部に沿って取り付けられている玄関ドア枠敷居部養生構造。
【請求項２】
前記保護シート部材が、前記内側保護パネル部材及び前記外側保護パネル部材の前記敷居部側の縁部上面に各々接着接合されている請求項１記載の玄関ドア枠敷居部養生構造。
【請求項３】
前記内側保護パネル部材及び前記外側保護パネル部材が、接着両面テープを介して前記玄関ドア枠の前記敷居部を挟んだ建物の内側及び外側の下地面に各々接着固定されている請求項１又は２記載の玄関ドア枠敷居部養生構造。
【請求項４】
前記内側保護パネル部材及び前記外側保護パネル部材の上面に、滑止め部材が各々取り付けられている請求項１〜３の何れかに記載の玄関ドア枠敷居部養生構造。
【請求項５】
請求項1に記載の玄関ドア枠敷居部養生構造に用いる玄関ドア枠敷居部養生部材であって、
上面が傾斜面となった平坦な略直角三角形の断面形状を有する一対の保護パネル部材と、上面の傾斜面を下り勾配で反対側に傾斜させた状態で、前記一対の保護パネル部材の縁部上面に跨るように接合されてこれらを連結する保護シート部材とからなり、
該保護シート部材によって前記敷居部を覆った状態で、前記一対の保護パネル部材を前記内側保護パネル部材及び前記外側保護パネル部材として、前記玄関ドア枠の前記敷居部を挟んだ建物の内側及び外側に各々取り付けて用いる玄関ドア枠敷居部養生部材。
【請求項６】
前記一対の保護パネル部材の上面に、滑止め部材が各々取り付けられている請求項５記載の玄関ドア枠敷居部養生部材。
【発明の詳細な説明】
【技術分野】
【０００１】
本発明は、建物の建築中、玄関に設置された玄関ドア枠の敷居部を養生する玄関ドア枠敷居部養生構造及び玄関ドア枠敷居部養生部材に関する。
【背景技術】
【０００２】
建物として例えば住宅建築物を建築する場合、工事中の建物の防犯等を目的として、建物の構造軸部材を組み立てる建て方の後に、建築中の比較的早い段階で、工場等において予め製造された玄関ドアが玄関部分に取り付けられる。玄関ドアを建築中の建物に取り付けるには、ドア用開口の周囲に組み立てた構造軸部材に支持させて、玄関ドア枠を取り付け、しかる後にこの玄関ドア枠に支持させて、玄関ドアを開閉可能に設置するのが一般的である。
【０００３】
また、建築中に取り付けられた玄関ドアは、例えば建物が施主へ引き渡されるまでの間、各種の作業を行っている際に傷ついたり損傷したりしないように、ダンボール板等による養生シート板で覆うことによって防護しておくのが一般的である（例えば、特許文献１、特許文献２、特許文献３参照）。
【先行技術文献】
【特許文献】
【０００４】
【特許文献１】特開平１１−８１６８８号公報
【特許文献２】特開２０００−１７７７８８号公報
【特許文献３】特開２００７−２４７３０４号公報
【発明の概要】
【発明が解決しようとする課題】
【０００５】
一方、玄関ドアを支持するために取り付けられた玄関ドア枠に対しても、建築中の各種の作業によって傷ついたり損傷したりしないように、防護しておくのが好ましく、特にドア用開口の下辺部分に配置される敷居部については、作業員の出入りによって、俊工時までの間に種々の汚れや、補修を必要とするキズや凹みが生じるおそれが高いことから、何等かの対策が必要である。
【０００６】
従来は、このような玄関ドア枠の敷居部の汚れや損傷を防ぐ手段として、角材や平板等の木材を組み合わせた簡易な仮設の養生部材を形成して設置していたが、作業員の出入り時に移動しやすいこと等によって、敷居部の汚れや損傷を十分に防ぐことができず、また玄関ドアを開閉する際には養生部材をその都度取り外す必要を生じて、作業員の出入りや玄関ドアの開閉操作に支障を来たしやすい。
【０００７】
本発明は、このような従来の課題に着目してなされたものであり、設置が容易で、建物の建築中に玄関ドア枠の敷居部を効果的に防護できると共に、養生したままの状態でも玄関ドアを容易に開閉させることのできる玄関ドア枠敷居部養生構造及び玄関ドア枠敷居部養生部材を提供することを目的とする。
【課題を解決するための手段】
【０００８】
本発明は、建物の建築中、玄関に設置された玄関ドア枠の敷居部を養生する玄関ドア枠敷居部養生構造であって、前記玄関ドア枠の前記敷居部を挟んだ建物の内側及び外側に、前記敷居部から離れる方向に向って上面が下り勾配となった内側保護パネル部材及び外側保護パネル部材が、前記敷居部に沿って各々取り付けられており、前記内側保護パネル部材及び前記外側保護パネル部材の前記敷居部側の縁部上面に跨るように接合されて、保護シート部材が、前記敷居部を覆うようにして前記敷居部に沿って取り付けられている玄関ドア枠敷居部養生構造を提供することにより、上記目的を達成したものである。
【０００９】
そして、本発明の玄関ドア枠敷居部養生構造は、前記保護シート部材が、前記内側保護パネル部材及び前記外側保護パネル部材の前記敷居部側の縁部上面に各々接着接合されていることが好ましい。
【００１０】
また、本発明の玄関ドア枠敷居部養生構造は、前記内側保護パネル部材及び前記外側保護パネル部材が、接着両面テープを介して前記玄関ドア枠の前記敷居部を挟んだ建物の内側及び外側の下地面に各々接着固定されていることが好ましい。
【００１１】
さらに、本発明の玄関ドア枠敷居部養生構造は、前記内側保護パネル部材及び前記外側保護パネル部材の上面に、滑止め部材が各々取り付けられていることが好ましい。
【００１２】
また、本発明は、上記玄関ドア枠敷居部養生構造に用いる玄関ドア枠敷居部養生部材であって、上面が傾斜面となった平坦な略直角三角形の断面形状を有する一対の保護パネル部材と、上面の傾斜面を下り勾配で反対側に傾斜させた状態で、前記一対の保護パネル部材の縁部上面に跨るように接合されてこれらを連結する保護シート部材とからなり、該保護シート部材によって前記敷居部を覆った状態で、前記一対の保護パネル部材を前記内側保護パネル部材及び前記外側保護パネル部材として、前記玄関ドア枠の前記敷居部を挟んだ建物の内側及び外側に各々取り付けて用いる玄関ドア枠敷居部養生部材を提供することにより、上記目的を達成したものである。
【００１３】
そして、本発明の玄関ドア枠敷居部養生部材は、前記一対の保護パネル部材の上面に、滑止め部材が各々取り付けられていることが好ましい。
【発明の効果】
【００１４】
本発明の玄関ドア枠敷居部養生構造又は玄関ドア枠敷居部養生部材によれば、設置が容易で、建物の建築中に玄関ドア枠の敷居部を効果的に防護できると共に、養生したままの状態でも玄関ドアを容易に開閉させることができる。
【図面の簡単な説明】
【００１５】
【図１】本発明の好ましい一実施形態に係る玄関ドア枠敷居部養生構造の構成を説明する部分破断斜視図である。
【図２】本発明の好ましい一実施形態に係る玄関ドア枠敷居部養生構造の構成を説明する部分破断断面図である。
【図３】玄関ドア枠敷居部養生部材の断面図である。
【発明を実施するための形態】
【００１６】
図１及び図２に示す本発明の好ましい一実施形態に係る玄関ドア枠敷居部養生構造１０は、建物として例えば住宅建築物を建築する際に、建物の構造軸部材２１の建て方の後に、玄関部分に玄関ドア２０（図２参照）を取り付ける際に設置される玄関ドア枠１１の下辺部分の敷居部１２が、建築中の各種の作業によって傷ついたり損傷したりしないように防護しておくために設けられる。本実施形態では、玄関ドア枠１１は、建物の玄関部分に設けられたドア用開口の周囲に組み立てた構造軸部材２１に支持させて、下辺部分の敷居部１２を玄関部分の下地面２２から浮かせた状態で取り付けられており、この玄関ドア枠１１には、玄関ドア２０が、ダンボール板等による養生シート板で覆われた状態で開閉可能に設置される。本実施形態の玄関ドア枠敷居部養生構造１０は、上述のように下地面２１から浮いた状態で取り付けられる玄関ドア枠１１の敷居部１２を、玄関ドア２０の開閉に支障を来たすことなく、簡易な構成によって効果的に防護できる機能を備えている。
【００１７】
そして、本実施形態の玄関ドア枠敷居部養生構造１０は、建物の建築中、玄関に設置された玄関ドア枠１１の敷居部１２を養生するための養生構造であって、玄関ドア枠１１の敷居部１２を挟んだ建物の内側及び外側に、敷居部１２から離れる方向に向って上面１３ａ，１４ａが下り勾配となった内側保護パネル部材１３及び外側保護パネル部材１４が、敷居部１２に沿って各々取り付けられており、内側保護パネル部材１３及び外側保護パネル部材１４の敷居部側の縁部上面に跨るように接合されて、保護シート部材１５が、敷居部１２を覆うようにして敷居部１２に沿って取り付けられている。
【００１８】
本実施形態では、玄関ドア枠１１は、例えばアルミニウム製のサッシ枠であり、工場等において縦長矩形形状の枠部材として形成されると共に、建築工事現場に搬入されて、サッシ受け等を介してドア用開口の周囲に組み立てたられた柱や上枠等の構造軸部材２１に支持された状態で、玄関部分に固定される。また、玄関部分に固定された玄関ドア枠１１の敷居部１２は、玄関部分に仕上部材が施されるまでの間、下地面２２から浮いた状態で取り付けられるようになっており、このように下地面２２から浮いた状態で取り付けられた敷居部１２を覆って、玄関ドア枠敷居部養生部材１６を取り付けることで、敷居部１２を効果的に防護する。
【００１９】
玄関ドア枠敷居部養生部材１６は、本実施形態の玄関ドア枠敷居部養生構造１０に用いる養生部材であって、図３にも示すように、上面１３ａ，１４ａが傾斜面となった平坦な略直角三角形の断面形状を有する一対の保護パネル部材１３，１４と、上面１３ａ，１４ａの傾斜面を下り勾配で反対側に傾斜させた状態で、一対の保護パネル部材１３，１４の縁部上面に跨るように接合されてこれらを連結する保護シート部材１５とからなり、この保護シート部材１５によって敷居部１２を覆った状態で、一対の保護パネル部材１３，１４を内側保護パネル部材１３及び外側保護パネル部材１４として、玄関ドア枠１１の敷居部１２を挟んだ建物の内側及び外側に各々取り付けることにより、本実施形態の玄関ドア枠敷居部養生構造１０が形成される。
【００２０】
本実施形態では、玄関ドア枠敷居部養生部材１６の一対の保護パネル部材１３，１４は、例えば合成樹脂からなり、玄関部分の下地面２２に安定した状態で設置できるように、相当の重量を有している。また一対の保護パネル部材１３，１４は、底面の幅が例えば２００ｍｍ程度、垂直面の高さが例えば５０ｍｍ程度、垂直面と反対側の鋭角部の高さが例えば１０ｍｍ程度の大きさの、平坦な略直角三角形の断面形状を有しており、玄関ドア枠１１の敷居部１２の長さよりも若干短い長さで、同じ形状を有するように形成されている。一対の保護パネル部材１３，１４は、略直角三角形の断面形状の垂直面を対向配置すると共に、上面１３ａ，１４ａの傾斜面を鋭角部に向う下り勾配で反対側に傾斜させた状態で、これらの垂直面側の縁部上面に跨るように保護シート部材１５を接合することで、保護シート部材１５を介して連結されて、玄関ドア枠敷居部養生部材１６が形成される。
【００２１】
保護シート部材１５は、例えば塩化ビニルシート等の可撓性を有する樹脂シートからなり、玄関ドア枠１１の敷居部１２における玄関ドア２０との当接部分に設けられたドアゴムパッキン２３（図２参照）の伸縮範囲の厚さとして、例えば０．５ｍｍ程度の厚さを有する。保護シート部材１５は、例えば１８０ｍｍ程度の幅で形成されると共に、玄関ドア枠１１の敷居部１２の長さよりも若干短い長さで形成され、一対の保護パネル部材１３，１４の垂直面側の縁部上面に各々例えば３０ｍｍ程度の幅の接着しろで、例えばプチル両面テープを用いて各々強固に接着接合される。これによって、一対の保護パネル部材１３，１４の垂直面の間には、例えば１２０ｍｍ程度の被覆幅で、保護シート部材１５が延設することになる。
【００２２】
また、本実施形態では、一対の保護パネル部材１３，１４の傾斜面となっている上面１３ａ，１４ａには、各々、滑止め部材１７として、例えば人工芝が取り付けられている。滑止め部材１７は、保護パネル部材１３，１４の上面１３ａ，１４ａにおける保護シート部材１５の接合部分を除いた略全体に取り付けられており、例えば作業員が保護パネル部材１３，１４の上面１３ａ，１４ａを踏み付けた際に、足を滑らせることになるのを効果的に回避できるようになっている。
【００２３】
本実施形態では、上述のような簡易な構成の玄関ドア枠敷居部養生部材１６を、玄関ドア枠１１の敷居部１２に沿って取り付けることで、玄関ドア枠敷居部養生構造１０が容易に形成される。すなわち、一方の保護パネル部材を内側保護パネル部材１３とし、他方の保護パネル部材を外側保護パネル部材１４として、これらの底面部を例えば接着両面テープを介して、玄関ドア枠１１の敷居部１２を挟んだ建物の内側及び外側の、下地面２２としての例えばタイル等の施工下地コンクリート面に各々接着固定することにより、内側保護パネル部材１３と外側保護パネル部材１４との間の保護シート部材１５を、敷居部１２を覆うようにして当該敷居部１２に沿って取り付けて、本実施形態の玄関ドア枠敷居部養生構造１０が簡易に形成されることになる。
【００２４】
なお、本実施形態では、下地面２２としてのタイル等の施工下地コンクリート面には、建物の内側において一段高くなった段差部２４が形成されていることから、この段差部２４の下段側に、台座部材２５を取り付けた上で、この台座部材２５と段差部２４の上段側に跨るように内側保護パネル部材１３を配置した状態で、内側保護パネル部材１３が接着固定されるようになっている。
【００２５】
そして、上述の構成を有する本実施形態の玄関ドア枠敷居部養生構造１０及び玄関ドア枠敷居部養生部材１６によれば、設置が容易で、建物の建築中に玄関ドア枠１１の敷居部１２を効果的に防護できると共に、養生したままの状態でも玄関ドア２０を開閉させることができる。
【００２６】
すなわち、本実施形態によれば、例えば一対の保護パネル部材１３，１４を保護シート部材１５を介して連結しただけの簡易な玄関ドア枠敷居部養生部材１６を用いて、これの内側保護パネル部材１３を建物の内側の下地面２２に、外側保護パネル部材１４を建物の内側の下地面２２に、各々接着固定するだけの簡易な作業によって、一対の保護パネル部材１３，１４の間に敷居部１２を挟み込むと共に、保護シート部材１５によって敷居部１２を覆った状態で、玄関ドア枠敷居部養生構造１０を容易に且つスムーズに設置することが可能になる。
【００２７】
これによって、玄関ドア枠１１の敷居部１２は、両側の保護パネル部材１３，１４と保護シート部材１５とによって周囲を囲まれて、建物の建築中に種々の汚れ、キズ、凹み等が生じないように効果的に防護されることになる。また、保護シート部材１５は、可撓性を有すると共に、相当の撓みしろを保持した状態で敷居部１２を覆って取り付けられており、且つ敷居部１２の玄関ドア２０との当接部分に設けられたドアゴムパッキン２３の伸縮範囲の厚さを有しているので、玄関ドア２０を閉じた際に、保護シート部材１５は、玄関ドア２０とドアゴムパッキン２３との間で伸縮範囲内に収まった状態で挟みこまれることになるので、玄関ドア２０を開閉操作に邪魔になることがなく、これによって、敷居部１２を養生したままの状態でも玄関ドア２０をスムーズに開閉させることが可能になる。
【００２８】
なお、本発明は上記実施形態に限定されることなく種々の変更が可能である。例えば、内側保護パネル部材や外側保護パネル部材の上面に、滑止め部材を取り付ける必要は必ずしもなく、滑止め部材は、人工芝以外のものであっても良い。また、内側保護パネル部材や外側保護パネル部材の断面形状や、保護シート部材の幅等は、玄関ドア枠の敷居部の高さや形状等に応じて適宜変更することができる。さらに、内側保護パネル部材や外側保護パネル部材は、玄関部分の下地面に台座部材を介在させて取り付けてもよく、台座部材を介在させることなく、玄関部分の下地面に直接取り付けることもできる。
【符号の説明】
【００２９】
１０  玄関ドア枠敷居部養生構造
１１  玄関ドア枠
１２  敷居部
１３  内側保護パネル部材（一方の保護パネル部材）
１３ａ  内側保護パネル部材の上面
１４  外側保護パネル部材（他方の保護パネル部材）
１４ａ  外側保護パネル部材の上面
１５  保護シート部材
１６  玄関ドア枠敷居部養生部材
１７  滑止め部材
１８  蝶番
２０  玄関ドア
２１  構造軸部材
２２  玄関部分の下地面
２３  ドアゴムパッキン
【図１】
0005458281.tif 000002
【図２】
0005458281.tif 000003
【図３】
0005458281.tif 000004